(57)【要約】      （修正有）【課題】生物、例えば人間の筋肉の凝りや痛み、切り傷、糖尿病、腫瘍等を迅速に且つ安全に治癒できる小型、安価で取り扱いの容易な空洞輻射型量子治療器を提供する。【解決手段】基準となる大地電位に対して負の変動電位を発生する電源装置１と、ベッド支持架台７及びその上部を覆う断面形状が半円形状又は多角形状の半胴型金属製電極板９の内側面に遠赤外線放射板を配置した半胴型量子発生器２から成る治療器本体とを備え、半胴型金属製電極板と電源装置とをリード線３を介して接続する。【選択図】図２
0003200186.tif 000002
【実用新案登録請求の範囲】
【請求項１】
基準となる大地電位に対して負の変動電位を発生する電源装置と、ベッド支持架台と当該ベッド支持架台の上部を覆う胴型金属製電極板と当該胴型金属製電極板の内側面に配置した遠赤外線放射板とから成る胴型量子発生器とを備え、前記胴型金属製電極板と前記電源装置とをリード線を介して接続する構成とした空洞輻射型量子治療器。
【請求項２】
電源装置を、交流電源と、一つ又は二つ整流素子とを備えた単相全波整流器とした請求項１に記載の空洞輻射型量子治療器。
【請求項３】
電源装置を、交流電源と、四つの整流素子とを備えた単相ブリッジ整流器とした請求項１に記載の空洞輻射型量子治療器。
【請求項４】
電源装置を、２〜２０００Ｈｚの交流電源を備えると共に、２〜２０００Ｈｚの半波若しくは全波の負の変動電位を生ずる構成とした請求項１に記載の空洞輻射型量子治療器。
【請求項５】
胴型量子発生器を、縦断面形状が半円形又は四角形若しくは多角形状の少なくとも長手方向の一側面を開放した半割状の胴型量子発生器とした請求項１に記載の空洞輻射型量子治療器
【請求項６】
遠赤外線放射板を、金属酸化物系の遠赤外線放射パウダーを重量比で１〜１０％含有したゴム又は合成樹脂から成る絶縁性の遠赤外線放射板とするようにした請求項１又波請求項５に記載の空洞輻射型量子治療器。
【請求項７】
胴型量子発生器のベッド支持架台を、絶縁物製のベッド枠体とマット体とから形成するようにした請求項１に記載の空洞輻射型量子治療器。
【請求項８】
胴型金属製電極板を、アルミニウム製又はアルミニウム合金製若しくはステンレス鋼製の電極板とした請求項１に記載の空洞輻射型量子治療器。
【請求項９】
ベッド支持架台とその上部を覆う胴型量子発生器とを、相互の位置を変動自在に配設する構成とした請求項１に記載の空洞輻射型量子治療器。
【請求項１０】
半割状の胴型量子発生器の長手方向の一側を、架台の一側に回転可能に軸支した請求項５に記載の空洞輻射型量子治療器。
【請求項１１】
ベッド支持架台を、胴型量子発生器に対して長手方向にスライド移動可能に配設する構成とした請求項５に記載の空洞輻射型量子治療器。
【請求項１２】
整流素子をＰＮ型ダイオードとした請求項２又は請求項３に記載の電位変動型量子治療器。
【請求項１３】
胴型量子発生器の金属製電極板が等価漏洩抵抗を介して接地され、金属製電極板から大地へ微弱電流が流通する構成とした請求項１に又は請求項５に記載の電位変動型量子治療器。
【考案の詳細な説明】
【技術分野】
【０００１】
本考案は量子波と遠赤外線とを用いた新規な空洞輻射型量子治療器に関するものである。具体的には、胴型の金属製電極板の内壁面に胴型の遠赤外線放射板を密着状に配置してなる胴型量子発生器内へ、ベッド支持架台を出入り自在に配置し、ベッド支持架台上に寝かせた人体の全部又は人体の患部を前記胴型量子発生器によって覆うと共に、胴型量子発生器の前記金属製電極板に負方向の電位変動を与えて金属製電極板から量子波を発生させ、発生させた量子波と遠赤外線放射板からの遠赤外線の両方を胴型量子発生器内で輻射状態として人体の患部組織内へ効率よく照射、吸収させ、量子波と遠赤外線の両放射エネルギーにより人体の幹部組織の治療効果を高めると共に、量子波により胴型の遠赤外線放射板の放射効率を高めたり、或いは量子波により人体が浴びる各種の有害な外部電磁波を低減させて、人体組織を保護するようにした空洞輻射型量子治療器に関するものである。
【背景技術】
【０００２】
人体の一部へ電極板等を取り付けし、発信器等からのマイクロ波や電磁波、電気パルスを人体へ照射することにより患部を治療するようにした治療用機器は、数多く開発され且つ実用に供されている。
しかし、従前のこの種の治療用機器は、何れも人体の肩凝りや打ち身、痛み等の人体の皮膚に近い部分の疾患には比較的高い治療効果を有するものの、リューマチ、神経痛、糖尿病、前立腺肥大、腫瘍等の人体の深部に生じた内臓疾患に対しては、殆ど治療効果が得られないと云う問題がある（特開平９−２３９０４１、特開平１１−５７０２８、特開２００６−２６１３８、特開平１０−２７２１９１等）。
【０００３】
例えば、図６は、前記特開平９−２３９０４１に係るマイクロ波治療器の構成を示すものであり、マグネトロンＡからのマイクロ波をアンテナ部Ｂから患部へ照射し、患部を温加熱することにより治癒するものであるが、マイクロ波発生装置が大型で高価なうえ、患部を温加熱しただけでは切り傷や腫瘍の治癒が出来ないと云う難点がある。
尚、図６において、２１は電源回路、２２はタイマー回路、２３はパルス発生回路、２４は変圧器、２５は整流回路、２６はＳＳＲ、２７は表示部である。
【０００４】
図７は、従前の電気パルス式治療器の構成を示すものであり、パルス発生器からの電圧パルスを人体の患部へ加えることにより筋肉に電気刺激を与えて血行の促進、筋肉組織の活性化及び再生を図り、患部を治癒するものである（特開平１１−５７０２８及び特開２００６−２６１３８等）。
しかし、この種の電気パルス式治療器は前記マイクロ波治療器の場合と同様に、治療器が高価なだけでなく、患部に電気刺激を与えて血行の促進、筋肉組織の活性化等を図るだけでは凝りや痛みを短期間で低減することが困難であり、また、切り傷やリューマチ、神経痛、糖尿病、前立腺肥大、癌等の人体深部に生じた内臓疾患の治療は出来ないと云う難点がある。
尚、図７において、２８は電源、２９は基本周波数発振器、３０は高周波発振器、３２はパルス加算器、３３は電極である。
【先行技術文献】
【特許文献】
【０００５】
【特許文献１】特開平９−２３９０４１号
【特許文献２】特開平１１−５７０２８号
【特許文献３】特開２００６−２６１３８号
【特許文献４】特開平１０−２７２１９１号
【特許文献５】特開平８−１８７４２８号
【考案の概要】
【考案が解決しようとする課題】
【０００６】
本考案は、従前のマイクロ波治療器や高・低周波式治療器における上述の如き問題、即ち、治療器が高価で取り扱いが複雑なこと、凝りや痛みを短期間で低減することが困難なこと、リューマチや神経痛、糖尿病、前立腺肥大、癌等の人体深部に生じた内臓疾患の治療に適用出来ないこと等の問題を解決しようとするものであり、凝りや痛みの治療の他にリューマチや神経痛、癌等の治療にも適用が可能で、しかも構造が簡単で安価で、且つ、胴型治療器内で輻射増幅させた量子波と遠赤外線の両方を効率よく人体へ輻射吸収させることを可能にした空洞放射型量子治療器を提供線とするものである。
【課題を解決するための手段】
【０００７】
本願考案者は永年に亘って、高周波電磁波を利用した物質の改質方法を開発し、これを実施してきた（特開平８−１８７４２８号等）。又、当該物質の改質方法の開発研究を通して、人体の筋肉組織内の水の活性を高めることにより、筋肉組織そのものの活性化や再生、修復等が可能なことを知得した。
【０００８】
又、近年、電磁波の一種であるテラヘルツ波の具備する人間の各種患部（例えば、凝りや痛み、切り傷、腫瘍等）に対する治療効果が注目されており、これと平行して、近代量子物理学の論理に基づくテラヘルツ波等各種量子波の発生機構や量子波発生装置の開発や量子波の奏する前記治癒効果の解明が、強力に押し進められている。そして、本願考案者も永年に亘って、上記量子波発生装置の開発やその治癒効果の試験・研究を数多く積み重ねて来た。
【０００９】
更に、本願考案者は上記試験・研究を通して、金属製電極板に負方向の電位変動を与えることにより、金属製電極板を構成する素材の原子の外殻電子軌道に変動が生じて原子核の陽子（プラスイオン）や中性子等が振動し、この振動に基づいてクウォークやニュートリノ等の量子波等が放射されることが実験により確認しており、且つ、発生する量子波の振動数やそのエネルギー量が金属製電極板の金属原子の質量数、原子の結合状態、印加される負電位の周波数等により決定されることを、実験により確認している。
【００１０】
本願考案は、本願考案者の上記量子波に関する各種の試験及び試験結果の分析を通して創作されたものであり、請求項１の考案は、基準となる大地電位に対して負の変動電位を発生する電源装置と、ベッド支持架台及びその上部を覆う胴型金属製電極板の内側面に遠赤外線放射板を配置して成る胴型量子発生器とを備え、前記胴型金属製電極板と前記電源装置とをリード線を介して接続する構成としたことを考案の基本構成とするものであり、前記金属製電極板に掛かる負の電位を変動させて量子波を発生させると共に遠赤外線放射板から遠赤外線を放射させ、生物の患部を遠赤外線エネルギー及び量子波エネルギーにさらして患部組織を活性化することにより患部組織を治癒するものである。
【００１１】
請求項２の考案は、請求項１の考案において、電源装置を、交流電源と、一つ又は二つ整流素子とを備えた単相全波整流器としたものである。
【００１２】
請求項３の考案は、請求項１の考案において、電源装置を、交流電源と、四つの整流素子とを備えた単相ブリッジ整流器とすると共に、整流素子を四つの整流器とを備えた単相ブリッジ整流器としたものである。
【００１３】
請求項４の考案は、請求項１の考案において、電源装置を、２〜２０００Ｈｚの交流電源を備えると共に、２〜２０００Ｈｚの半波若しくは全波の負の変動電位を生ずる構成としたものである。
【００１４】
請求項５の考案は、請求項１の考案において、胴型量子発生器を、断面形状が半円形又は四角形若しくは多角形状の少なくとも長手方向の一側面を開放した半割状の胴型量子発生器としたものである。
【００１５】
請求項６の考案は、請求項１又は請求項５に記載の考案において、遠赤外線放射板を、金属酸化物系の遠赤外線放射パウダーを重量比で１〜１０％含有したゴム又は合成樹脂から成る絶縁性の遠赤外線放射板とするようにしたものである。
【００１６】
請求項７の考案は、請求項１に記載の考案において、胴型量子発生器のベッド支持架台を、絶縁物製の載置台とマット体とから形成するようにしたものである。
【００１７】
請求項８の考案は、請求項１の考案において、胴型金属製電極板をアルミニウム製又はアルミニウム合金製若しくはステンレス鋼製としたものである。
【００１８】
請求項９の考案は、請求項１の考案において、胴型量子発生器のベッド支持架台とその上部を覆う胴型量子発生器とを、相互の位置を変動自在に配設する構成としたものである。
【００１９】
請求項１０の考案は、請求項５の考案において、半割り状の胴型量子発生器の長手方向の一側を架台の一側に回転可能に軸支する構成としたものである。
【００２０】
請求項１１の考案は、請求項５の考案において、ベッド支持架台を、胴型量子発生器に対して長手方向にスライド移動可能に配設する構成としたものである。
【００２１】
請求項１２の考案は、請求項２又は請求項３の考案において、整流素子をＰＮ型ダイオードとしたものである。
【００２２】
請求項１３の考案は、請求項１又は請求項５に記載の考案において、胴型量子発生器の金属製電極板が等価漏洩抵抗を介して接地され、金属製電極板から大地へ微弱電流が流通する構成としたものである。
【００２３】
本願考案では、空洞輻射型量子遠赤外線治療器を、基準となる大地電位に対して負の変動電位を発生する電源装置と、ベッド支持架台とその上部を覆う胴型金属製電極板とその内側面に配置した遠赤外線放射板からなる胴型量子発生器とを備え、前記胴型金属製電極板と前記電源装置とをリード線を介して接続する構成とし、前記胴型金属製電極板に掛かる負の電位を変動させて量子波を発生させると共に遠赤外線放射板から遠赤外線を放射し、人体の患部へ量子波及び遠赤外線を照射してそのエネルギーを吸収させ、人体組織を活性化することにより患部を治療するようにしている。
【００２４】
即ち、電源装置から胴型金属製電極板に交番電圧ｖの整流出力が印加されることにより、胴型金属製電極板の負方向電位が変動して金属電極板の表面やその近傍の電場が変動する。そして、胴型金属製電極板の電位変動により電場が変動すると、金属電極板を構成する素材原子の外殻電子軌道に変動が生じて原子核の陽子（プラスイオン）や中性子等が振動し、この振動に基づいてクウォークやニュートリノ等の量子波等が放射される。
【００２５】
尚、前記量子波の発生は実験により確認されており、また、発生する量子波の振動数やそのエネルギー量は、金属原子の質量数、原子の結合状態、印加される負電位の周波数等により決定されることも実験により確認されている。
【００２６】
又、発生した量子波が胴型遠赤外線放射板や人体組織等の他の原子に照射されると、原子の結合状態が変わってその物性が変化することになり、例えば、量子波が人体の細胞内のＤＮＡの構成原子に照射されると、ＤＮＡの歪や結合状態が修正されると想定されている。
【００２７】
更に、胴型金属製電極板の電位変動による変動電場や発生した量子波は、胴型遠赤外線放射板の構成原子や分子の結合や結晶構造に変化を与えると共に、その分子等の振動を活発化する。その結果、胴型遠赤外線放射板の遠赤外線放射率や放射量が向上することになる。
【００２８】
加えて、人体組織内へ遠赤外線が入射吸収されると、血行を促進して体温を高めたり、痛みを軽減したりすることは公知のことである。
上述の如き量子波や遠赤外線に係る各作用の相乗により、人体の患部組織の損傷や病気が治癒されることになる。
【００２９】
より具体的には、胴型金属製電極板から発生した量子や胴型遠赤外線放射板から発生した遠赤外線は、胴型量子発生器内で複雑に反射し、一種の空洞輻射の状態が発生して胴型量子発生器内の量子エネルギー及び遠赤外線エネルギーの増量やそのエネルギー分布の均一化が得られる。その結果、洞型量子発生器内に位置する人間の患部組織の分子や原子の振動がより旺盛と成り、これにより医療効果が高まることになる。
【００３０】
又、洞型量子発生器内の量子エネルギー及び遠赤外線エネルギーが、人体の全身に照射されるため、血行の促進による生物組織等の活性化や新陳代謝の促進が図れ、医療効果が高まって治療時間の短縮が可能となる。
【００３１】
このように、本考案に係る空洞輻射型量子治療器は、人間の各種病や切傷等の局部的な患部の治癒に高い効用を有するものであり、臨床テストによってその効用が確認されている。
しかし、上記本考案に係る空洞輻射型量子治療器が、人間や動物等の生物組織の凝りや痛み、神経痛、リューマチ、糖尿病、癌等に対して高い臨床上の治療効果を奏することについての理論的な解析は、未だ十分且つ完全なレベルにまで行なわれていない。
その結果、当該空洞輻射型量子治療器の奏する治療効果の原因（作用や機構等）については不明な点が多く存在するが、本願考案に係る空洞輻射型量子治療器は、現実に高い人体に対する治療効果と治癒効果を奏することが試験を通して実証されており、多数の空洞輻射型量子治療器が実用に供されようとしている。
【図面の簡単な説明】
【００３２】
【図１】本考案の第１実施形態に係る空洞輻射型量子治療器の概要を示す斜面図である。
【図２】本考案に係る空洞輻射型量子治療器の電源装置の第１実施例を示す説明図である。
【図３】本考案に係る空洞輻射型量子治療器の電源装置の他の実施例を示す概要説明図である。
【図４】本考案に係る空洞輻射型量子治療器の電源装置のその他の実施例を示す概要説明図である。
【図５】本考案に係る空洞輻射型量子治療器の胴型量子発生器の他の実施例を示す断面概要図である。
【図６】従前のマイクロ波式医療器の概要説明図である。
【図７】従前の低周波式医療器の概要説明図である。
【考案を実施するための形態】
【００３３】
以下、図面に基づいて本考案の実施形態を説明する。
図１は、本考案の第１実施形態に係る空洞輻射型量子治療器の斜面図であり、人間の各種病気、例えば、人体の打撲等による痛みや腫れを有する部位、凝りのある部位、切り傷を負った部位、リューマチ、神経痛、前立腺肥大、糖尿病、癌等の治療に用いるものである。
【００３４】
図1を参照して、本考案に係る空洞輻射型量子治療器Ａは、発信器に相当する電源装置１と、リード線３を介してこれに接続した胴型量子発生器２とからその主要部が構成されており、これに遠隔操作装置Ｂ，モニター装置Ｃ、記録装置Ｄ、音声装置Ｅ等が付設されている。
又、前記空洞輻射型量子治療器Ａの胴型量子発生器２は、後述するように、胴型金属製電極板９とその内面側に配設した胴型遠赤外線放射板１１からなる胴部本体１０と、胴部本体１０の内部へ移動自在に配設したベッド支持架台７等から構成されている。
【００３５】
図２を参照して、前記電源装置１は、交流電源４と、これに直列に接続した抵抗Ｒと、整流素子５等とから形成されており、交流電源４の一方の出力側は端子３ａへ接続され、接地６されている。また、交流電源４の他方の出力側は、抵抗Ｒ及び整流素子５を通して非接地側出力端子３ｂへ接続されている。
【００３６】
前記胴型量子発生器２は胴部本体１０とベッド支持架台７とから構成されている。
また、前記胴部本体１０は、長手方向の一側面を開放した横断面形状が略四角方状の合成樹脂性のケース体８と、ケース体８の内面側に配置した胴型金属製電極板９と、胴型金属製電極板９の内面側に配置した胴型遠赤外線放射板１１とからその主要部が構成されている。
尚、前記ケース体８及び胴型遠赤外線放射板１１が絶縁性の材料で無い場合には、胴型金属製電極板９の上下両面に絶縁体(図示省略)配置する必要があり、かつ、胴型金属製電極板９の下面側の絶縁体は、量子が透過できる材質のものでなければならないことは勿論である。
【００３７】
又、図１及び図２において、１ａは電源のケース、３ａは電源の接地側出力端子、３ｂは電源の被接地側出力端子、３はリード線、６は接地点、７はベッド支持体、１０ａは胴部本体の架台、１２は被治療者（人間）、１３はマット体、１４は入力端子、１５はベッド枠体、１６は蝶番、ｖは交流電圧、ｉは電圧ｖによる電流、Ｒは抵抗、Ｒａは等価漏洩抵抗である。
【００３８】
正弦波交流電源４を作動させると、端子３ａ，３ｂ間に前記負方向の電圧ｖが印加され、リード線３と胴型量子発生器２の胴型金属製電極板９と等価漏洩抵抗Ｒａ等を通して、電圧ｖによる半波整流された微弱な交番電流ｉが流通する。
また、胴型量子発生器２の金属製電極板９には、負方向の電圧ｖによる半波整流された交番電流ｉが流通することにより、その負方向の電位が変動するとともに電場も変動することになり、これによって前述の通りに胴型金属製電極板９から量子波が放射される。
【００３９】
又、量子波のエネルギーや周囲の温度エネルギーを吸収することにより、胴型遠赤外線放射板１１からは遠赤外線が放射される。更に、放射された量子エネルギー及び遠赤外線エネルギーは、胴型量子発生器２の内部で反射を繰り返し、所謂輻射状態と成ることにより増量且つ均一化された量子エネルギー及び遠赤外線エネルギーが、ベッド支持架台７上の被治療者(人間)１２へ均等に照射され、人体患部の組織が活性化等の変化を受けて治療されることになる。
【００４０】
尚、前記電源装置（発信器）１の交流電源４の周波数は、人間の病の種類や部位等に応じて、２から２０００Ｈｚ程度が最適であることが実験的に確認されている。
同様に、金属製電極板９の材質としては、アルミニウム、アルミニウム合金又はステンレス鋼が最適であり、その中でもアルミニウムは、量子波の発生効率の点からもっとも望ましいことが確認されている。
更に、前記胴型遠赤外線放射板１１は、高効率の遠赤外線放射パウダーを重量比で１〜１０％含有させたゴム又は合成樹脂から成る絶縁性のものが、所謂遠赤外線による治療効果を高める上で好都合なことが実験により確認されている。
又、図２の実施例では、胴型遠赤外線放射板１１を所定の形状に一体成型するようにしているが、胴型金属製電極板９の内側表面の全体に遠赤外線放射板の小片（例えば、１００ｍｍ×２００ｍｍ）を貼り付け固着することにより、胴型金属製電極板９の内面側に胴型遠赤外線放射板１１を形成。固定するようにしても良い。
【００４１】
図２は、電源装置１の他の例を示すものであり、２個の整流素子５を用いた所謂単相全波整流構成の電源装置１としたものである。
【００４２】
また、図３は、電源装置１の更に他の例を示すものであり、４個の整流素子５を用いた所謂ブリッジ形単相全波整流構成の電源装置１としたものである。
【００４３】
尚、図１〜図３の電源装置１自体の構成そのものは公知であるため、ここではその詳細な説明を省略する。又、電源装置１そのものは如何なる構成のものであってもよく、例えば、三相交流電源を用いたものや、前記単相交流電源４とＬＣ並列回路とを組合わせした構成の電源装置１として、外部電磁波に起因するＬＣ並列回路の出力電圧と交流電源４の出力電圧との重畳電圧を出力する構成の電源装置としても良いことは勿論である。
【００４４】
上述のように、胴型金属製電極板９に生じたマイナス電位の変動により、前述の通り胴型金属製電極板９等から量子波が、又、胴型遠赤外線放射板１１からは遠赤外線が放射され、その結果、人間１２の患部を構成する組織の原子の電子配列等が影響を受けて変化する事になり、治療効果が奏されることになる。
【００４５】
尚、上記人間の患部組織へ量子波や遠赤外線等の照射による患部の治療作用については、上述したように現時点においては理論的に完全に解明されているとは言えない実情にある。しかし、これ等の治癒効果は、何れも試験や実験によって確認されているものである。
【実施例１】
【００４６】
電源装置１として、交流電源４の周波数が５０Ｈｚ〜１００Ｈｚ、出力電圧５０〜１５０Ｖ，最大発信出力５ワットのものを用いると共に、胴型金属製電極板９をアルミニウム製板（半径７００ｍｍ×長さ２０００ｍｍ×５ｍｍ（厚さ））とし、又、胴型遠赤外線放射板１１として前記胴型金属製電極板９と横幅及び長さが略同寸法（但し、厚さは２ｍｍ）のものを使用した。人間１２をベッド支持架台７の上方に寝かせ、肩部のこりや痛みの解消治療試験を行った。具体的には、５人の被治療者に１回・１０分間の治療を行い、肩こりや痛みの解消状態の比較テストを行なった。尚、電源装置（発信器）１の平均出力は、０．５ワットであった。
【００４７】
上記試験の被試験対象者は５人であり、各被試験対象者の夫々に同一の負荷条件を付与して肩こり及び痛みを発生させ、１回・１０分間・５分間隔で３回の機械式マッサージによる治療と、１日間の連続した薬剤付きシップ材の貼り付け治療と、１日間の連続した薬剤の塗布治療の３種類の治療を、夫々７日間の間隔を置いて被試験対象者に行なない、肩凝り及び痛みの解消状況を調査した。
【００４８】
調査の結果に依れば、試験対象５人の内の全員が、本考案の空洞輻射型量子治療器による１回・１０分間の治療が最も肩こりや痛みの治癒効果の高いことを認めており、本考案の優れた効用が証明されている。
【００４９】
図５は、本考案で使用する胴型量子発生器２の他の実施例を示すものであり、図１における胴型量子発生器２の横断面形状をほぼ半円形とし、且つ、胴型遠赤外線放射板１１や胴型ケース体８を絶縁性材料を用いて形成し、絶縁板の使用を排除するようにしたものである。
尚、図５の実施例では、胴型量子発生器２の横断面形状をほぼ半円形としているが、胴型量子発生器２の横断面形状は図１のような四角であっても、或いは多角形であってもよく、所謂胴筒状に形成されていればその横断面形状は如何なる形状であっても良い。
【００５０】
尚図５に於いて、１０ａ，１０ｂは架台、１３はマット、１５はベッド枠体、１６は胴型ケース体８を上方へ回動可能に軸支する蝶番、１７は，１８はベッド支持架台及び胴型ケース体８の車輪である。
【００５１】
本発明は上述の如く、胴型金属製電極板９と胴型遠赤外線放射板１１を用いると共に、胴型金属製電極板９に負方向の電位変動を与えて量子波や遠赤外線を発生させる構成としているため、量子波エネルギーや遠赤外線エネルギーの輻射波を被治療者へ均一に且つ効率よく照射することが出来、その結果、人間の身体患部の治療を効率的に行なえ、患部の迅速な治癒を達成することができると云う優れた実用的効用を奏するものである。
【産業上の利用可能性】
【００５２】
本発明は、人間や動物の患部の治療のみならず、農畜産業や漁業等の分野においても利用可能なものである。
【符号の説明】
【００５３】
Ａ  空洞輻射型量子治療器
Ｂ  遠隔操作装置
Ｃ  モニター装置
Ｄ  記憶装置
Ｅ  音声装置
１    電源装置（発信器）
２    胴型量子発生器
２ａ  架台
３    リード線
３ａ  接地側出力端子
３ｂ  非接地側出力端子
４    交流電源
４ａ  接地側端子
４ｂ  非接地側端子
５    整流素子（ＰＮ型ダイオード）
６    接地点
Ｔ    トランス
Ｔｎ  巻線の中性点
７    ベッド支持架台
８    胴型ケース体
９    胴型金属製電極板
１０  胴部本体
１０ａ．１０ｂ  架台
１１  胴型遠赤外線放射板（胴型）
１２  被医療者（人間）の患部
１３  マット体
１４  入力端子
１５  ベッド枠体
１６  蝶板
１７  車輪
１８  車輪
Ｒ    抵抗
Ｒａ  等価漏洩抵抗
ｖ    誘導電圧
ｉ    電流 
【図１】
0003200186.tif 000003
【図２】
0003200186.tif 000004
【図３】
0003200186.tif 000005
【図４】
0003200186.tif 000006
【図５】
0003200186.tif 000007
【図６】
0003200186.tif 000008
【図７】
0003200186.tif 000009